(57)【要約】      （修正有）【課題】  外部からの塵埃の侵入を防止することができる記録媒体カセットの提供。【解決手段】  記録紙カセット２０は、記録紙収容部２１に外部から遮断して記録紙Ｓを収容し、記録紙Ｓと同じ空間に収容された供給ローラ３０によって記録紙通過口２５を通過させて印刷装置やラミネート装置に記録紙Ｓを供給する。この記録紙通過口２５には、記録紙Ｓが通過可能な状態で記録紙通過口２５の隙間を塞ぐ給排紙ローラ２６，２６が形成されている。この給排紙ローラ２６は、柔軟な材質により形成され記録紙Ｓの通過を許容するように記録紙通過口２５の隙間を塞ぐ方向に力が加えられている。この記録紙カセット２０は、印刷装置の排紙部に装着して印刷物を収容したあと、ラミネート装置の給紙部に装着して印刷物を供給してラミネート処理を行うことができる。このカセットでは印刷装置やラミネート装置に装着されて給排紙する際に開口する部分がない。【選択図】        図２
2006151561.tif 000002
【特許請求の範囲】
【請求項１】
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体収容部に収容され前記記録媒体を前記記録媒体処理装置に供給する供給ローラと、
前記供給ローラにより供給された前記記録媒体が通過可能な記録媒体通過口と、
前記記録媒体が前記記録媒体通過口を通過可能な状態で前記記録媒体通過口の隙間を塞ぐ遮蔽部と、
を備えた記録媒体カセット。
【請求項２】
前記遮蔽部は、前記記録媒体の移動に伴って回転し前記記録媒体が前記記録媒体通過口を通過するように導く紙送りローラである、
請求項１に記載の記録媒体カセット。
【請求項３】
前記遮蔽部は、柔軟な材質により形成され前記記録媒体の通過を許容するように前記記録媒体通過口の隙間を塞ぐ方向に力が加えられている、
請求項１又は２に記載の記録媒体カセット。
【請求項４】
請求項１〜３のいずれかに記載の記録媒体カセットであって、
前記記録媒体の厚さを検出する検出手段と、
前記検出手段によって検出された前記記録媒体の厚さに基づいて前記遮蔽部を支持している支持部の位置を調節する支持位置調節手段と、
を備えた記録媒体カセット。
【請求項５】
前記記録媒体収容部は、少なくとも一部が透明な材質で形成されている、
請求項１〜４のいずれかに記載の記録媒体カセット。
【請求項６】
請求項１〜５のいずれかに記載の記録媒体カセットであって、
前記記録媒体処理装置の給紙部に装着されたときには前記記録媒体収容部に収容されている記録媒体と前記供給ローラとを密着させる付勢部、
を備えた記録媒体カセット。
【請求項７】
前記記録媒体カセットは、前記記録媒体処理装置の排紙部にも装着可能であり、
前記記録媒体カセットが前記排紙部に装着されたときには、前記記録媒体通過口は、前記記録媒体処理装置から排出される記録媒体を前記記録媒体収容部へ通過可能であり、前記記録媒体収容部は、前記記録媒体通過口を通過した記録媒体を収容可能である、
請求項１〜６のいずれかに記載の記録媒体カセット。
【請求項８】
請求項７に記載の記録媒体カセットであって、
前記記録媒体処理装置の排紙部に装着されたときには前記記録媒体収容部に収容されている前記記録媒体と前記供給ローラとの間に空間を形成させる空間形成部、
を備えた記録媒体カセット。
【請求項９】
請求項１〜８のいずれかに記載の記録媒体カセットであって、
前記記録媒体収容部に収容され前記供給ローラを回転駆動させる駆動部と、
前記駆動部を駆動する電力を入力する電力入力部と、
を備えた記録媒体カセット。
【請求項１０】
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体処理装置の給紙部に装着されたときに前記記録媒体を前記記録媒体処理装置に供給する供給ローラを略隙間なく収容可能な開口部と、
前記記録媒体処理装置の給紙部に装着されたときには前記開口部を開放し前記記録媒体処理装置の給紙部から脱着されたときには前記開口部を閉鎖する開閉蓋と、
前記供給ローラにより供給された前記記録媒体が通過可能な記録媒体通過口と、
前記記録媒体が前記記録媒体通過口を通過可能な状態で前記記録媒体通過口の隙間を塞ぐ遮蔽部と、
を備えた記録媒体カセット。
【請求項１１】
前記遮蔽部は、前記記録媒体の移動に伴って回転し前記記録媒体が前記記録媒体通過口を通過するように導く紙送りローラである、
請求項１０に記載の記録媒体カセット。
【請求項１２】
前記遮蔽部は、柔軟な材質により形成され前記記録媒体の通過を許容するように前記記録媒体通過口の隙間を塞ぐ方向に力が加えられている、
請求項１０又は１１に記載の記録媒体カセット。
【請求項１３】
請求項１２に記載の記録媒体カセットであって、
前記記録媒体の厚さを検出する検出手段と、
前記検出手段によって検出された前記記録媒体の厚さに基づいて前記遮蔽部を支持している支持部の位置を調節する支持位置調節手段と、
を備えた記録媒体カセット。
【請求項１４】
前記記録媒体収容部は、少なくとも一部が透明な材質で形成されている、
請求項１０〜１３のいずれかに記載の記録媒体カセット。
【請求項１５】
請求項１０〜１４のいずれかに記載の記録媒体カセットであって、
前記記録媒体処理装置の給紙部に装着されたときには前記記録媒体収容部に収容されている記録媒体と前記供給ローラとを密着させる付勢部、
を備えた記録媒体カセット。
【請求項１６】
前記記録媒体カセットは、前記記録媒体処理装置の排紙部にも装着可能であり、
前記記録媒体カセットが前記排紙部に装着されたときには、前記記録媒体通過口は、前記記録媒体処理装置から排出される記録媒体を前記記録媒体収容部へ通過可能であり、前記記録媒体収容部は、前記記録媒体通過口を通過した記録媒体を収容可能である、
請求項１０〜１５のいずれかに記載の記録媒体カセット。
【請求項１７】
請求項１〜１６のいずれかに記載の記録媒体カセットを複数備えており、該複数の記録媒体カセットの少なくとも１つが前記記録媒体処理装置の給紙部に装着可能であり、該複数の記録媒体カセットの少なくとも１つが前記記録媒体処理装置の排紙部に装着可能に一体化されている、
一体化カセット。
【請求項１８】
請求項１〜８のいずれかに記載の記録媒体カセットを装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体に着色剤によって画像を印刷する印刷部と、
前記印刷部によって印刷された記録媒体を収容する請求項７，８又は１６に記載の記録媒体カセットを装着可能である排紙部と、
を備えた印刷装置。
【請求項１９】
請求項９に記載の記録媒体カセットを装着可能である給紙部と、
前記給紙部に前記記録媒体カセットが装着されたときには前記電力入力部に接続し該電力入力部に電力を供給する電力供給部と、
前記電力供給部が供給した電力で前記供給ローラが駆動し該駆動する供給ローラによって供給された記録媒体に着色剤によって画像を印刷する印刷部と、
前記印刷部によって印刷された記録媒体を収容する請求項７，８又は１６に記載の記録媒体カセットを装着可能である排紙部と、
を備えた印刷装置。
【請求項２０】
請求項１０〜１６のいずれかに記載の記録媒体カセットを装着可能である給紙部と、
前記給紙部に前記記録媒体カセットが装着されたときには前記開閉蓋を開放する開放部と、
前記開放部によって開放された前記開口部に入り込んで前記記録媒体に当接し前記記録媒体を前記記録媒体カセットから供給する供給ローラと、
前記供給ローラによって供給された記録媒体に着色剤によって画像を印刷する印刷部と、
前記印刷部によって印刷された記録媒体を収容する請求項７，８又は１６に記載の記録媒体カセットを装着可能である排紙部と、
を備えた印刷装置。
【請求項２１】
給紙部及び排紙部を有し請求項１７に記載の一体化カセットを装着可能である装着部と、
前記一体化カセットから前記給紙部を介して供給された記録媒体に着色剤によって画像を印刷する印刷部と、
前記印刷部によって印刷された記録媒体を前記排紙部を介して前記一体化カセットに搬送する搬送部と、
を備えた印刷装置。
【請求項２２】
請求項１〜８のいずれかに記載の記録媒体カセットを装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体の表面に保護層を形成させるラミネート処理を施す処理部と、
を備えた印刷物加工装置。
【請求項２３】
請求項９に記載の記録媒体カセットを装着可能である給紙部と、
前記給紙部に前記記録媒体カセットが装着されたときには前記電力入力部に接続し該電力入力部に電力を供給する電力供給部と
前記電力供給部が供給した電力で前記供給ローラが駆動し該駆動する供給ローラによって供給された記録媒体の表面に保護層を形成させるラミネート処理を施す処理部と、
を備えた印刷物加工装置。
【請求項２４】
請求項１０〜１６のいずれかに記載の記録媒体カセットを装着可能である給紙部と、
前記給紙部に前記記録媒体カセットが装着されたときには前記開閉蓋を開放する開放部と、
前記開放部によって開放された前記開口部に入り込んで前記記録媒体に当接し前記記録媒体を供給する供給ローラと、
前記供給ローラによって供給された記録媒体の表面に保護層を形成させるラミネート処理を施す処理部と、
を備えた印刷物加工装置。
【請求項２５】
給紙部を有し請求項１７に記載の一体化カセットを装着可能である装着部と、
前記一体化カセットから前記給紙部を介して供給された記録媒体の表面に保護層を形成させるラミネート処理を施す処理部と、
を備えた印刷物加工装置。
【発明の詳細な説明】
【技術分野】
【０００１】
本発明は、記録媒体カセット、印刷装置及び印刷物加工装置に関する。
【背景技術】
【０００２】
従来、印刷装置に用いられる記録媒体カセットとしては、記録紙を収容する収容部を外部から遮断又は外部に開放させるスライド可能な蓋体を備えたものが提案されている（例えば、特許文献１参照）。この特許文献１に記載された記録媒体カセット１２０（図２０参照）では、印刷装置に装着されたときには記録紙Ｓを印刷装置に供給する供給ローラ１３０を略隙間なく収容する大きさの開口部１７１を開放するように蓋体１２３が幅Ｗだけスライドして記録紙収容部１２１から印刷装置に記録紙Ｓを供給する。また、印刷装置から脱着されたときにはこの開口部１７１を閉鎖するように蓋体１２３がスライドする。したがって、外部からの塵埃の侵入を抑制する。
【特許文献１】特開２００１−２５３５６５号公報
【発明の開示】
【発明が解決しようとする課題】
【０００３】
しかしながら、この特許文献１に記載された記録媒体カセット１２０では、供給ローラ１３０が入り込む開口部１７１を記録紙Ｓが通過可能になるように幅Ｙだけ大きくする必要があり、依然として塵埃が入ることがあった。
【０００４】
本発明は、このような課題に鑑みなされたものであり、外部からの塵埃の侵入を防止することができる記録媒体カセット及び一体化カセットを提供することを目的の一つとする。また、そのような記録媒体カセット及び一体化カセットを装着することができる印刷装置及び印刷物加工装置を提供することを目的の一つとする。
【課題を解決するための手段】
【０００５】
本発明は、上述の目的の少なくとも一つを達成するために以下の手段を採った。
【０００６】
即ち、本発明の記録媒体カセットは、
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体収容部に収容され前記記録媒体を前記記録媒体処理装置に供給する供給ローラと、
前記供給ローラにより供給された前記記録媒体が通過可能な記録媒体通過口と、
前記記録媒体が前記記録媒体通過口を通過可能な状態で前記記録媒体通過口の隙間を塞ぐ遮蔽部と、
を備えたものである。
【０００７】
この記録媒体カセットでは、外部から遮断して記録媒体を収容し、記録媒体収容部に収容された供給ローラによって記録媒体通過口を通過させて記録媒体処理装置に記録媒体を供給する。この記録媒体通過口には、記録媒体が通過可能な状態で記録媒体通過口の隙間を塞ぐ遮蔽部が形成されている。このように、記録媒体処理装置に装着された際に開口する部分がないため、外部からの塵埃の侵入を防止することができる。
【０００８】
本発明の記録媒体カセットにおいて、前記遮蔽部は、前記記録媒体の移動に伴って回転し前記記録媒体が前記記録媒体通過口を通過するように導く紙送りローラであってもよい。こうすれば、記録媒体の通過に伴って紙送りローラが回転するため、記録媒体が記録媒体通過口を通過しやすい。
【０００９】
本発明の記録媒体カセットにおいて、前記遮蔽部は、柔軟な材質により形成され前記記録媒体の通過を許容するように前記記録媒体通過口の隙間を塞ぐ方向に力が加えられていてもよい。こうすれば、記録媒体通過口の隙間を確実に閉塞可能であるため、一層外部からの塵埃の侵入を防止することができる。ここで、「柔軟な材質」は、例えばスポンジやフェルトやゴムなどが挙げられる。
【００１０】
本発明の記録媒体カセットは、前記記録媒体の厚さを検出する検出手段と、前記検出手段によって検出された前記記録媒体の厚さに基づいて前記遮蔽部を支持している支持部の位置を調節する支持位置調節手段と、を備えてもよい。こうすれば、記録媒体の厚さに応じて記録媒体の通過のしやすさを調節することができる。このとき、支持位置調節手段は、前記記録媒体の厚さが厚いときには前記記録媒体が前記遮蔽部を通過する通過部から前記支持部までの長さを長くしてもよい。
【００１１】
本発明の記録媒体カセットにおいて、前記記録媒体収容部は、少なくとも一部が透明な材質で形成されていてもよい。こうすれば、塵埃の侵入を防止しながら収容されている記録媒体を確認可能であるため、間違ったカセットを記録媒体処理装置に装着してしまうことを防ぐことができる。
【００１２】
本発明の記録媒体カセットは、前記記録媒体処理装置の給紙部に装着されたときには前記記録媒体収容部に収容されている記録媒体と前記供給ローラとを密着させる付勢部、を備えてもよい。こうすれば、供給ローラによって記録媒体処理装置に記録媒体を供給しやすい。ここで、「付勢部」は、供給ローラを付勢して記録媒体と密着させるものでもよいし、記録媒体を付勢して供給ローラに密着させるものでもよいし、供給ローラと記録媒体とを付勢してこれらを密着させるものでもよい。
【００１３】
本発明の記録媒体カセットは、前記記録媒体処理装置の排紙部にも装着可能であり、前記記録媒体カセットが前記排紙部に装着されたときには、前記記録媒体通過口は、前記記録媒体処理装置から排出される記録媒体を前記記録媒体収容部へ通過可能であり、前記記録媒体収容部は、前記記録媒体通過口を通過した記録媒体を収容可能であってもよい。一般に、記録媒体処理装置により処理された記録媒体は、そのまま外部に排出されることが多いため、記録媒体処理装置から排出されたあとに塵埃が付着することが多い。また、例えば特許文献１に記載された記録媒体カセットを記録媒体処理装置の排出部に装着したとしても記録媒体が通過可能な開口部は必要であるため、塵埃の侵入を十分に防止できない。これに対して本発明の記録媒体カセットでは、記録媒体処理装置から排出される記録媒体を記録媒体通過口を介して収容可能であるため、この記録媒体への塵埃の付着を防止することができる。このとき、本発明の記録媒体カセットは、記録媒体処理装置の排紙部に装着され該記録媒体処理装置から排出される記録媒体を収容したあと該記録媒体処理装置又は他の記録媒体処理装置の給紙部に装着され該収容された記録媒体を供給する記録媒体カセットであってもよい。
【００１４】
本発明の記録媒体カセットは、前記記録媒体処理装置の排紙部に装着されたときには前記記録媒体収容部に収容されている前記記録媒体と前記供給ローラとの間に空間を形成させる空間形成部、を備えてもよい。こうすれば、記録媒体処理装置から排出された記録媒体が記録媒体収容部へ移行するのを供給ローラが妨げることがない。
【００１５】
本発明の記録媒体カセットは、前記記録媒体収容部に収容され前記供給ローラを回転駆動させる駆動部と、前記駆動部を駆動する電力を入力する電力入力部と、を備えていてもよい。こうすれば、電力入力部から電力を入力し、該入力した電力で記録媒体カセットに内蔵した駆動部により供給ローラを駆動させることができる。
【００１６】
本発明の記録媒体カセットは、
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体処理装置の給紙部に装着されたときに前記記録媒体を前記記録媒体処理装置に供給する供給ローラを略隙間なく収容可能な開口部と、
前記記録媒体処理装置の給紙部に装着されたときには前記開口部を開放し前記記録媒体処理装置の給紙部から脱着されたときには前記開口部を閉鎖する開閉蓋と、
前記供給ローラにより供給された前記記録媒体が通過可能な記録媒体通過口と、
前記記録媒体が前記記録媒体通過口を通過可能な状態で前記記録媒体通過口の隙間を塞ぐ遮蔽部と、
を備えたものとしてもよい。
【００１７】
この記録媒体カセットでは、外部から遮断して記録媒体を収容し、記録媒体処理装置の給紙部に装着された際に開口部が開放されて供給ローラが入り込み、この供給ローラによって記録媒体通過口を通過させて記録媒体処理装置に記録媒体を供給する。この記録媒体通過口には、記録媒体が通過可能な状態で記録媒体通過口の隙間を塞ぐ遮蔽部が形成されている。ここで、遮蔽部を形成した記録媒体通過口を記録媒体が通過するため、供給ローラを挿入する開口部を記録媒体が通過可能になるように大きくする必要がない。このように、開口部を小さくすることができるため、その分、外部からの塵埃の侵入を防止することができる。
【００１８】
本発明の記録媒体カセットにおいて、前記遮蔽部は、前記記録媒体の移動に伴って回転し前記記録媒体が前記記録媒体通過口を通過するように導く紙送りローラであってもよい。こうすれば、記録媒体の通過に伴って紙送りローラが回転するため、記録媒体が記録媒体通過口を通過しやすい。
【００１９】
本発明の記録媒体カセットにおいて、前記遮蔽部は、柔軟な材質により形成され前記記録媒体の通過を許容するように前記記録媒体通過口の隙間を塞ぐ方向に力が加えられていてもよい。こうすれば、記録媒体通過口の隙間を確実に閉塞可能であるため、一層外部からの塵埃の侵入を防止することができる。
【００２０】
本発明の記録媒体カセットは、前記記録媒体の厚さを検出する検出手段と、前記検出手段によって検出された前記記録媒体の厚さに基づいて前記遮蔽部を支持している支持部の位置を調節する支持位置調節手段と、を備えてもよい。こうすれば、記録媒体の厚さに応じて記録媒体の通過のしやすさを調節することができる。このとき、前記支持部は、前記記録媒体通過口内で前記遮蔽部を移動可能に支持しており、支持位置調節手段は、前記記録媒体の厚さが厚いときには前記記録媒体が該記録媒体通過口を通過する通過部から前記支持部までの距離を長くしてもよい。
【００２１】
本発明の記録媒体カセットにおいて、前記記録媒体収容部は、少なくとも一部が透明な材質で形成されていてもよい。こうすれば、塵埃の侵入を防止しながら収容されている記録媒体を確認可能であるため、間違ったカセットを記録媒体処理装置に装着してしまうことを防ぐことができる。
【００２２】
本発明の記録媒体カセットは、前記記録媒体処理装置の給紙部に装着されたときには前記記録媒体収容部に収容されている記録媒体と前記供給ローラとを密着させる付勢部、を備えてもよい。こうすれば、供給ローラによって記録媒体処理装置に記録媒体を供給しやすい。ここで、「付勢部」は、記録媒体を付勢して供給ローラに密着させるものなどが挙げられる。
【００２３】
本発明の記録媒体カセットは、前記記録媒体処理装置の排紙部にも装着可能であり、前記記録媒体カセットが前記排紙部に装着されたときには、前記記録媒体通過口は、前記記録媒体処理装置から排出される記録媒体を前記記録媒体収容部へ通過可能であり、前記記録媒体収容部は、前記記録媒体通過口を通過した記録媒体を収容可能であってもよい。一般に、記録媒体処理装置により処理された記録媒体は、そのまま外部に排出されることが多いため、記録媒体処理装置から排出されたあとに塵埃が付着することが多い。また、例えば特許文献１に記載された記録媒体カセットを記録媒体処理装置の排出部に装着したとしても記録媒体が通過可能な開口部は必要であるため、塵埃の侵入を十分に防止できない。これに対して本発明の記録媒体カセットでは、記録媒体処理装置から排出される記録媒体を記録媒体通過口を介して収容可能であるため、この記録媒体への塵埃の付着を防止することができる。このとき、本発明の記録媒体カセットは、記録媒体処理装置の排紙部に装着され該記録媒体処理装置から排出される記録媒体を収容したあと該記録媒体処理装置又は他の記録媒体処理装置の給紙部に装着され該収容された記録媒体を供給する記録媒体カセットであってもよい。
【００２４】
本発明の一体化カセットは、上述したいずれかの記録媒体カセットを複数備えており、該複数の記録媒体カセットの少なくとも１つが前記記録媒体処理装置の給紙部に装着可能であり、該複数の記録媒体カセットの少なくとも１つが前記記録媒体処理装置の排紙部に装着可能に一体化されているものである。この一体化カセットでは、記録媒体処理装置での処理前の記録媒体と同じ種類の処理後の記録媒体を収容可能なため、種類の異なる記録媒体が収容されているカセットを給紙部と排紙部に装着してしまうことがない。
【００２５】
本発明の印刷装置は、
上述したいずれかの記録媒体カセット（供給ローラが記録媒体収容部に収容されたカセット）を装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体に着色剤によって画像を印刷する印刷部と、
前記印刷部によって印刷された記録媒体を収容する上述したいずれかの記録媒体カセット（記録媒体処理装置の排紙部にも装着可能なカセット）を装着可能である排紙部と、
を備えたものである。
【００２６】
この印刷装置では、上述したいずれかの記録媒体カセットを給紙部に装着し、装着された記録媒体カセットから記録媒体を供給し、供給された記録媒体に着色剤によって画像を印刷し、印刷した記録媒体を排紙部に装着された上述したいずれかの記録媒体カセットに収容する。ここで、上述した記録媒体カセットは、外部からの塵埃の侵入を防止することができるものであるから、この印刷装置では、印刷前の記録媒体と印刷後の記録媒体への塵埃の付着を防止可能である。したがって、塵埃の付着による印刷物の品質の低下を防ぐことができる。
【００２７】
本発明の印刷装置は、
上述した記録媒体カセット（前記記録媒体収容部に収容され前記供給ローラを回転駆動させる駆動部を備えたカセット）を装着可能である給紙部と、
前記給紙部に前記記録媒体カセットが装着されたときには前記電力入力部に接続し該電力入力部に電力を供給する電力供給部と、
前記電力供給部が供給した電力で前記供給ローラが駆動し該駆動する供給ローラによって供給された記録媒体に着色剤によって画像を印刷する印刷部と、
前記印刷部によって印刷された記録媒体を収容する上述したいずれかの記録媒体カセット（記録媒体処理装置の排紙部にも装着可能なカセット）を装着可能である排紙部と、
を備えたものとしてもよい。
【００２８】
こうしても、印刷前の記録媒体と印刷後の記録媒体への塵埃の付着を防止可能であるため、塵埃の付着による印刷物の品質の低下を防ぐことができる。
【００２９】
本発明の印刷装置は、
上述したいずれかの記録媒体カセット（供給ローラを略隙間なく収容可能な開口部を有するカセット）を装着可能である給紙部と、
前記給紙部に前記記録媒体カセットが装着されたときには前記開閉蓋を開放する開放部と、
前記開放部によって開放された前記開口部に入り込んで前記記録媒体に当接し前記記録媒体を前記記録媒体カセットから供給する供給ローラと、
前記供給ローラによって供給された記録媒体に着色剤によって画像を印刷する印刷部と、
前記印刷部によって印刷された記録媒体を収容する上述したいずれかの記録媒体カセット（記録媒体処理装置の排紙部にも装着可能なカセット）を装着可能である排紙部と、
を備えたものとしてもよい。
【００３０】
こうしても、印刷前の記録媒体と印刷後の記録媒体への塵埃の付着を防止可能であるため、塵埃の付着による印刷物の品質の低下を防ぐことができる。
【００３１】
本発明の印刷装置は、
給紙部及び排紙部を有し上述した一体化カセットを装着可能である装着部と、
前記一体化カセットから前記給紙部を介して供給された記録媒体に着色剤によって画像を印刷する印刷部と、
前記印刷部によって印刷された記録媒体を前記排紙部を介して前記一体化カセットに搬送する搬送部と、
を備えたものとしてもよい。
【００３２】
こうしても、印刷前の記録媒体と印刷後の記録媒体への塵埃の付着を防止可能であるため、塵埃の付着による印刷物の品質の低下を防ぐことができる。
【００３３】
本発明の印刷物加工装置は、
上述したいずれかの記録媒体カセット（供給ローラが記録媒体収容部に収容されたカセット）を装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体の表面に保護層を形成させるラミネート処理を施す処理部と、
を備えたものである。
【００３４】
この印刷物加工装置では、上述したいずれかの記録媒体カセットを給紙部に装着し、装着された記録媒体カセットから記録媒体を供給し、供給された記録媒体の表面に保護層を形成させるラミネート処理を施す。ここで、上述した記録媒体カセットは、外部からの塵埃の侵入を防止することができるものであるから、この印刷物加工装置では、塵埃の付着を防止した記録媒体にラミネート処理をすることができる。したがって、記録媒体への塵埃の付着による加工仕上がりの品質の低下を防ぐことができる。なお、上述した印刷装置によって印刷された記録媒体を収容した記録媒体カセットを給紙部に装着してもよい。こうすれば、印刷前からラミネート処理まで、塵埃の付着を防止した記録媒体を用いることができるため、一層加工仕上がり品の品質の低下を防ぐことができる。
【００３５】
本発明の印刷物加工装置は、
上述した記録媒体カセット（前記記録媒体収容部に収容され前記供給ローラを回転駆動させる駆動部を備えたカセット）を装着可能である給紙部と、
前記給紙部に前記記録媒体カセットが装着されたときには前記電力入力部に接続し該電力入力部に電力を供給する電力供給部と、
前記電力供給部が供給した電力で前記供給ローラが駆動し該駆動する供給ローラによって供給された記録媒体の表面に保護層を形成させるラミネート処理を施す処理部と、
を備えたものとしてもよい。
【００３６】
こうしても、塵埃の付着を防止した記録媒体にラミネート処理を行うため、塵埃の付着による加工仕上がりの品質の低下を防ぐことができる。なお、上述した印刷装置によって印刷された記録媒体を収容した記録媒体カセットを給紙部に装着してもよい。こうすれば、印刷前からラミネート処理まで、塵埃の付着を防止した記録媒体を用いることができるため、一層加工仕上がり品の品質の低下を防ぐことができる。
【００３７】
本発明の印刷物加工装置は、
上述したいずれかの記録媒体カセット（供給ローラを略隙間なく収容可能な開口部を有するカセット）を装着可能である給紙部と、
前記給紙部に前記記録媒体カセットが装着されたときには前記開閉蓋を開放する開放部と、
前記開放部によって開放された前記開口部に入り込んで前記記録媒体に当接し前記記録媒体を供給する供給ローラと、
前記供給ローラによって供給された記録媒体の表面に保護層を形成させるラミネート処理を施す処理部と、
を備えたものとしてもよい。
【００３８】
こうしても、塵埃の付着を防止した記録媒体にラミネート処理を行うため、塵埃の付着による加工仕上がりの品質の低下を防ぐことができる。なお、上述した印刷装置によって印刷された記録媒体を収容した記録媒体カセットを給紙部に装着してもよい。こうすれば、印刷前からラミネート処理まで、塵埃の付着を防止した記録媒体を用いることができるため、一層加工仕上がり品の品質の低下を防ぐことができる。
【００３９】
本発明の印刷物加工装置は、
給紙部を有し上述した一体化カセットを装着可能である装着部と、
前記一体化カセットから前記給紙部を介して供給された記録媒体の表面に保護層を形成させるラミネート処理を施す処理部と、
を備えたものとしてもよい。
【００４０】
こうしても、塵埃の付着を防止した記録媒体にラミネート処理を行うため、塵埃の付着による加工仕上がりの品質の低下を防ぐことができる。なお、上述した印刷装置によって印刷された記録媒体を収容した記録媒体カセットを給紙部に装着してもよい。こうすれば、印刷前からラミネート処理まで、塵埃の付着を防止した記録媒体を用いることができるため、一層加工仕上がり品の品質の低下を防ぐことができる。
【発明を実施するための最良の形態】
【００４１】
次に、本発明を実施するための最良の形態を実施例を用いて説明する。
【実施例】
【００４２】
［第１実施例］
次に、本発明の第１実施例を図面に基づいて説明する。図１は、本発明の一実施例である記録紙カセット２０の斜視図であり、図２は、図１のＡ−Ａ断面図であり、図３は、記録紙カセット２０の供給ローラ３０付近を水平面で切断しこれを上面から見た断面図である。この記録紙カセット２０は、記録紙Ｓを外部と遮断して収容する記録紙収容部２１と、記録紙収容部２１の前方の上部に直方体状に形成され供給ローラ３０（図２参照）を記録紙Ｓと同じ空間に収容する供給ローラ収容部２２と、供給ローラ３０に直結している駆動ギア２４と、供給ローラ３０により供給された記録紙Ｓが通過可能な記録紙通過口２５と、記録紙Ｓが記録紙通過口２５を通過可能な状態で記録紙通過口２５の隙間を塞ぐ給排紙ローラ２６，２６と、記録紙Ｓと供給ローラ３０との密着を解除して空間を形成させる付勢解除部２７（図２参照）とを備えている。
【００４３】
記録紙収容部２１は、記録紙Ｓを収容可能なように扁平な直方体に形成されている。この記録紙収容部２１の側面には、透明な部材（例えばアクリル樹脂など）により矩形状の確認窓２１ａが形成されており、カセット内部を目視可能になっている。記録紙収容部２１の側面には付勢解除部２７の棒状体２７ｂが移動する円弧状の回動溝２７ｆが形成されている。また、記録紙収容部２１の上面には、記録紙Ｓを収容・取り出しする際に開閉する蓋部２３が形成されている。この蓋部２３は、固定軸２３ａを軸として記録紙収容部２１に回動可能に支持されている（図２参照）。記録紙Ｓは、所定形状（例えばＡ４サイズなど）の紙、厚紙及びフィルムなどの印刷用紙である。なお、蓋部２３を透明な部材で形成して確認窓２１ａを省略してもよい。
【００４４】
給排紙ローラ２６は、外周面がスポンジによって形成されている円柱状のローラである。記録紙カセット２０では、図２に示すように、互いに対向した２つの給排紙ローラ２６，２６を上下に配置し、これらを密着するように給排紙ローラ２６，２６のローラ軸２６ａ，２６ａが図示しない支持部に支持されている。この両ローラ軸２６ａ，２６ａは、軸間距離が給排紙ローラ２６の直径（例えば１０ｍｍ）よりも短い距離（例えば７ｍｍ）になるように支持されており、この結果、両給排紙ローラ２６，２６は外周面をなすスポンジが変形して面接触してニップ部２６ｂをなしている。つまり、両給排紙ローラ２６，２６は記録紙通過口２５の隙間を塞ぐ方向に力が加えられた状態で記録紙収容部２１に支持されている。但し、この面接触しているニップ部２６ｂでの圧力は、給排紙ローラ２６，２６の回転を妨げず且つ給排紙ローラ２６，２６の回転によって記録紙Ｓがニップ部２６ｂを通過することができる程度に設定されている。この給排紙ローラ２６，２６は、記録紙収容部２１から記録紙Ｓを供給する方向にも記録紙収容部２１へ記録紙Ｓを通過する方向にも回転可能となっている。上側に配置された給排紙ローラ２６のローラ軸２６ａは、外部に貫通しており（図３では左側）、外部に露出したローラ軸２６ａには紙送りギア２６ｄが固定されている。この紙送りギア２６ｄが駆動モータ３５（図４及び図５参照）と接続して回転することにより、給排紙ローラ２６，２６は、記録紙通過口２５を通過するように記録紙Ｓを導く。この給排紙ローラ２６の上下には防塵舌２６ｃが設けられており、給排紙ローラ２６と記録紙通過口２５との隙間を塞ぐようにして記録紙カセット２０の内部への塵埃の侵入を一層防止する構造としている。なおこの給排紙ローラ２６は、スポンジによって形成されているとしたが、フェルトや弾性ゴムなどの柔軟な材質で形成してもよい。
【００４５】
また、記録紙カセット２０の内部には、図２に示すように、記録紙Ｓと供給ローラ３０との密着を解除させる付勢解除部２７と、記録紙Ｓを戴置する戴置板２８と、戴置板２８を上方に付勢して戴置板２８に戴置された記録紙Ｓを供給ローラ３０に密着させる付勢バネ２９と、記録紙Ｓを記録紙収容部２１から供給する供給ローラ３０とが設けられている。
【００４６】
付勢解除部２７は、記録紙収容部２１の側面に設けられ、後述する印刷装置４０の排紙部４６に装着された際に記録紙Ｓと供給ローラ３０との密着を解除させ記録紙Ｓが移動可能な空間を形成させるものである。この付勢解除部２７のＶ字板２７ａは、その略中央に設けられた支持軸２７ｃを介して記録紙収容部２１に固定され、該支持軸２７ｃを中心として軸回転可能になっている。また、Ｖ字板２７ａの一端には略円弧状に形成された円弧板２７ｅ及び棒状体２７ｂが固定されており、Ｖ字板２７ａの他端には戴置板２８が接続棒２７ｄを介して回動自在に軸支されている。棒状体２７ｂは、記録紙収容部２１に形成されている回動溝２７ｆ（図１参照）から外部に突出した状態でＶ字板２７ａに固定されている。この付勢解除部２７は、棒状体２７ｂが図２において反時計回りに回動溝２７ｆを移動すると、Ｖ字板２７ａも支持軸２７ｃを中心として反時計回りに回転し、接続棒２７ｄが下方に移動することにより、戴置板２８を下方に押し下げるように構成されている。円弧板２７ｅは、棒状体２７ｂが回動溝２７ｆを移動する区間において絶えず回動溝２７ｆの隙間を遮蔽するものである。なお、付勢解除部２７は、記録紙カセット２０の左右両側に形成されている（図３参照）。
【００４７】
供給ローラ３０は、記録紙収容部２１に収容された記録紙Ｓを印刷装置４０などへ供給するゴム製のローラであり、図３に示すように、ローラ軸３１を中心に軸回転可能なように軸受け３２を介して供給ローラ収容部２２に支持されている。ローラ軸３１の片側（図３では右側）は、軸受け３２を介して外部に貫通し駆動ギア２４が固定されている。なお、本実施例では、ローラ軸３１に１つの供給ローラ３０を固定したものを示したが、複数の供給ローラを固定してもよい。
【００４８】
次に、記録紙カセット２０を装着する印刷装置４０について説明する。図４は、印刷装置４０の断面図であり、図５は、記録紙Ｓの供給機構の説明図（図４のＢ−Ｂ断面図）である。印刷装置４０は、インクジェット方式のフルカラープリンタとして構成され、記録紙カセット２０を装着可能である給紙部４２と、給紙部４２を介して供給された記録紙Ｓを搬送する搬送ユニット４３と、搬送ユニット４３によって搬送された記録紙Ｓにインクによって画像を印刷する記録ヘッド４４と、印刷された記録紙Ｓを収容する記録紙カセット２０を装着可能である排紙部４６と、印刷装置４０の印刷動作を制御するコントローラ４１とを備えている。
【００４９】
給紙部４２は、記録紙Ｓを供給する記録紙カセット２０を装着する部分であり、記録紙カセット２０が装着された際に記録紙カセット２０との間に略隙間ができないように形成されている。なお、この給紙部４２の下面には、図示しない係止爪が設けられており、この係止爪が記録紙カセット２０の底面に形成された図示しない引っ掛け部に引っ掛かることにより記録紙カセット２０が図４の状態で固定され、図示しない係止解除部を操作することにより引っ掛け部に係止している係止爪を解除可能になっている。
【００５０】
搬送ユニット４３は、記録紙Ｓを本体下部に配設された給紙部４２から円弧を描きインクカートリッジ４４を介して本体上部に配設された排紙部４６に導くガイド部４３ａと、記録紙Ｓをガイド部４３ａに沿って搬送する複数の搬送ローラ４３ｂとにより構成されている。
【００５１】
記録ヘッド４４は、シアン・マゼンタ・イエロー・ライトシアン・ライトマゼンタ及びブラックの各色のインクを個別に収容したインクカートリッジ４４ａと、インクカートリッジから供給された各インクに圧力をかける圧力発生部４４ｂと、圧力発生部４４ｂで加圧されたインクを記録紙Ｓに吐出する吐出口４４ｃとを備えている。圧力発生部４４ｂは、圧電素子（例えばピエゾ素子など）に電圧をかけることによりこの圧電素子を変形させてインクを加圧する方式を採用している。なお、この圧力発生部４４ｂは、発熱抵抗体（例えばヒータなど）に電圧をかけインクを加熱して発生した気泡によりインクを加圧する方式を採用してもよい。
【００５２】
排紙部４６は、印刷した記録紙Ｓを収容する記録紙カセット２０を装着する部分であり、記録紙カセット２０が装着された際に記録紙カセット２０との間に略隙間がないように形成されている。この排紙部４６の近傍には、記録紙カセット２０の棒状体２７ｂに引っ掛かる突出部４７が形成されている。なお、この排紙部４６の下面には、図示しない係止爪が設けられており、この係止爪が記録紙カセット２０の底面に形成された図示しない引っ掛け部に引っ掛かることにより記録紙カセット２０が図４の状態で固定され、図示しない係止解除部を操作することにより引っ掛け部に係止している係止爪を解除可能になっている。
【００５３】
また、印刷装置４０には、図４及び図５に示すように、給紙部４２に記録紙カセット２０が装着された際に駆動ギア２４に接続する接続ギア３３ａ，３３ｂと、給紙部４２及び排紙部４６に記録紙カセット２０が装着された際に紙送りギア２６ｄに接続する接続ギア３４ａ，３４ｂが配置されている。この接続ギア３３ｂ，３４ｂは、駆動モータ３５のモータ軸３５ａに固定されており、駆動モータ３５により回転する。したがって、接続ギア３３ａ，３３ｂを介して駆動モータ３５により供給ローラ３０が回転する。また、接続ギア３４ａ，３４ｂを介して駆動モータ３５により給排紙ローラ２６が回転する。この駆動モータ３５には、図示しない他のギアが接続されており、搬送ローラ４３ｂなども駆動する。
【００５４】
コントローラ４１は、周知のＣＰＵを中心としたマイクロプロセッサとして構成されており、処理プログラムを記憶したＲＯＭと、一時的にデータを記憶するＲＡＭとを備えている。このコントローラ４１は、駆動モータ３５や記録ヘッド４４と電気的に接続されており、これらに制御信号を出力する。
【００５５】
続いて、記録紙カセット２０を装着するラミネート装置５０について説明する。図６は、ラミネート装置５０の断面図である。ラミネート装置５０は、記録紙Ｓの上面（印刷面）に対して保護層Ｐを加熱定着させる熱転写型オーバコート方式の装置として構成されている。ラミネート装置５０は、図６に示すように、フィルムが円筒状に巻かれたロールフィルム６１と、ロールフィルム６１から保護材６０ａが形成されたフィルム６０を引き出し該引き出したフィルム６０と重ね合わせて記録紙Ｓを搬送する搬送ローラ５５と、重ね合わせたフィルム６０と記録紙Ｓとを加熱しながら搬送する加熱ローラ５６と、加熱ローラに従動し重ね合わせたフィルム６０と記録紙Ｓとを加圧する加圧ローラ５７と、フィルム６０と記録紙Ｓとを搬送すると共にこれらを離間させる搬送ローラ５８と、保護材６０ａを失ったフィルム６０を巻き取る巻取りロール６２と、ラミネート装置５０の動作を制御するコントローラ５１とを備えている。なお、ラミネート装置５０はオーバコート方式を採用するものとしたが、記録紙Ｓの下面側にも保護層Ｐを加熱定着させる機構を設け、記録紙Ｓの上面と下面とに保護層Ｐを設ける方式のものを採用してもよい。
【００５６】
ロールフィルム６１は、ロール軸６１ａにフィルム６０を図６において時計回りに円筒状に巻いたものである。フィルム６０は、耐熱性を有する樹脂（例えばポリプロピレンなど）からなるフィルムである。このフィルム６０には、加熱ローラ５６及び加圧ローラ５７によってラミネート処理が行われたあと記録紙Ｓの印刷面の保護層Ｐとなる保護材６０ａがその表面に形成されている。つまり、基材であるフィルム６０とその表面に形成された保護材６０ａとの２層構造になっている。保護材６０ａは、フィルム６０の耐熱温度よりも低いガラス転移点Ｔｇで融解する熱可塑性樹脂（例えばアクリル樹脂）からなる。また、巻取りロール６２は、ラミネート処理後の保護材６０ａを失ったフィルム６０を巻き取るものであり、ロール軸６２ａを中心に軸回転可能に支持されている。なお、フィルム６０に保護材６０ａを接着性や耐候性などの特性を変化させて複数層形成してもよい。
【００５７】
給紙部５２は、記録紙Ｓを供給する記録紙カセット２０を装着する部分であり、記録紙カセット２０が装着された際に記録紙カセット２０との間に略隙間ができないように形成されている。なお、この給紙部５２の下面には、図示しない係止爪が設けられており、この係止爪が記録紙カセット２０の底面に形成された図示しない引っ掛け部に引っ掛かることにより記録紙カセット２０が図６の状態で固定され、図示しない係止解除部を操作することにより引っ掛け部に係止している係止爪を解除可能になっている。
【００５８】
加熱ローラ５６は、ヒータ５６ａを内部に有する円筒形の金属コアの外周にゴム層を設けたものであり、駆動モータ５４によって回転し、記録紙Ｓ及びフィルム６０を搬送すると共に記録紙Ｓ上に保護材６０ａを融着させ保護層Ｐを形成させるものである。ヒータ５６ａは、通電により発熱するハロゲンランプなどのヒータである。加圧ローラ５７は、金属製の軸５７ａの周囲にゴム層が設けられているものであり、加熱ローラ５６に付勢された状態で回転可能に支持されている。
【００５９】
更に、ラミネート装置５０の内部には、記録紙カセット２０の駆動ギア２４と接続する接続ギア５３ａ，５３ｂが配置されている。この接続ギア５３ｂは、駆動モータ５４のモータ軸５４ａに固定されており、駆動モータ５４により回転する。したがって、接続ギア５３ａ，５３ｂを介して駆動モータ５４により供給ローラ３０が回転する。また、この駆動モータ５４は、図示しないギアを介して記録紙カセット２０の紙送りギア２６ｄと接続可能になっている。また、駆動モータ５４には、図示しない他のギアが接続されており、搬送ローラ５５，５８や加熱ローラ５６なども駆動する。
【００６０】
コントローラ５１は、周知のＣＰＵを中心としたマイクロプロセッサとして構成されており、処理プログラムを記憶したＲＯＭと、一時的にデータを記憶するＲＡＭとを備えている。このコントローラ５１は、駆動モータ５４やヒータ５６ａと電気的に接続されており、これらに制御信号を出力する。
【００６１】
次に、印刷装置４０に記録紙カセット２０を装着する動作について、まず給紙部４２に記録紙カセット２０を装着する動作について説明する。ユーザは、給紙部４２に装着する記録紙カセット２０の蓋部２３を開放し（図２参照）、記録紙Ｓを戴置部２８に戴置し、蓋部２３を閉じる。すると、記録紙Ｓは、外部から遮断された状態で記録紙収容部２１の内部に収容される。次にこの記録紙カセット２０を印刷装置４０の下部に設置された給紙部４２に差し込む。そして、記録紙カセット２０が給紙部４２に突き当たると、装着が完了する。このとき、図５に示すように、記録紙カセット２０の駆動ギア２４が接続ギア３３ａと噛合し、紙送りギア２６ｄが接続ギア３４ａと噛合する。これにより、供給ローラ３０及び給排紙ローラ２６が駆動モータ３５により駆動可能となる。
【００６２】
次に、排紙部４６に記録紙カセット２０を装着する動作について、図７を用いて説明する。まず、ユーザは戴置部２８に記録紙Ｓを戴置していない記録紙カセット２０を排紙部４６に差し込む（図７（ａ））。記録紙カセット２０を移動していくと、外部に露出している付勢解除部２７の棒状体２７ｂが突出部４７に引っ掛かる（図７（ｂ））。更に記録紙カセット２０を奥に差し込むと棒状体２７ｂが突出部４７によりカセットの移動の反対方向に押されてＶ字板２７ａが支持軸２７ｃを中心として回転し、接続棒２７ｄを介してＶ字板２７ａに接続した戴置板２８が連動して下方に移動する。そして、記録紙カセット２０が排紙部４６に突き当たると、装着が完了する（図７（ｃ））。このとき、戴置板２８と供給ローラ３０との間に記録紙Ｓが通過可能な空間Ｖが形成される。また、紙送りギア２６ｄが図示しない接続ギア噛合し、給排紙ローラ２６が駆動モータ３５により駆動可能となる。
【００６３】
次に、印刷装置４０の印刷時の動作について図８及び図９を用いて説明する。図８は、印刷前の記録紙Ｓを記録紙カセット２０から供給する説明図であり、図９は、印刷後の記録紙Ｓを記録紙カセット２０へ収容する説明図である。印刷装置４０のコントローラ４１は、印刷データを受信すると、駆動モータ３５を回転駆動させる。駆動モータ３５が回転駆動すると、接続されている接続ギア３３ｂ，３３ａ及び駆動ギア２４を介して供給ローラ３０が回転する。また、同様に接続ギア３４ｂ，３４ａ及び紙送りギア２６ｄを介して駆動モータ３５により給排紙ローラ２６が回転する。すると、供給ローラ３０の回転に伴い記録紙Ｓが記録紙収容部２１から給排紙ローラ２６に向かって移動する（図８（ａ））。そして、記録紙Ｓが給排紙ローラ２６に接触すると、互いに向き合って回転する給排紙ローラ２６，２６によって記録紙Ｓをニップ部２６ｂを介して外部へ導き（図８（ｂ））、記録紙通過口２５を通過させる（図８（ｃ））。
【００６４】
続いて、搬送ユニット４３により記録紙Ｓは、記録ヘッド４４に搬送される。そして、コントローラ４１は、圧力発生部４４ｂへの電圧を制御することにより印刷データに含まれる画像を記録紙Ｓに印刷する。印刷された記録紙Ｓは、搬送ローラ４３ｂにより排紙部４６に装着された記録紙カセット２０へ搬送される。このとき、排紙部４６に装着された記録紙カセット２０の給排紙ローラ２６，２６は、記録紙Ｓを記録紙収容部２１に収容する方向に回転している。そして、記録紙Ｓが給排紙ローラ２６に接触すると（図９（ａ））、互いに向き合って回転する給排紙ローラ２６，２６によって記録紙Ｓをニップ部２６ｂを介して内部へ導き（図９（ｂ））、記録紙通過口２５を通過させる（図９（ｃ））。こうして、印刷された記録紙Ｓは、排紙部４６に装着された記録紙カセット２０の記録紙収容部２１に外部から遮断された状態で収容される。最後に、ユーザは、印刷装置４０で印刷した記録紙Ｓを収容した記録紙カセット２０を印刷装置４０の排紙部４６から脱着させる。このとき、記録紙カセット２０は、外部から遮断して記録紙Ｓを収容するため、記録紙Ｓには塵埃が付着しない。
【００６５】
次に、ラミネート装置５０のラミネート処理の動作について図６を用いて説明する。ユーザは、印刷装置４０の排紙部４６から取り外した記録紙カセット２０であることを確認窓２１ａで確認し、この記録紙カセット２０をラミネート装置５０の給紙部５２に差し込む。そして、記録紙カセット２０が給紙部５２に突き当たると、装着が完了する。このとき、記録紙カセット２０の駆動ギア２４が接続ギア５３と噛合する（図５参照）。また、紙送りギア２６ｄが図示しない接続ギアを介して駆動モータ５４に接続される。これにより、供給ローラ３０及び給排紙ローラ２６が駆動モータ５４により駆動可能となる。
【００６６】
そして、ラミネート装置５０のコントローラ５１は、ラミネート処理の指令を受信すると、駆動モータ５４を回転駆動させる。駆動モータ５４が回転駆動すると、接続されている接続ギア５３及び駆動ギア２４を介して供給ローラ３０が回転すると共に給排紙ローラ２６が回転する。図８に示したのと同様に、供給ローラ３０の回転に伴い記録紙Ｓが記録紙収容部２１から給排紙ローラ２６に向かって供給され、記録紙Ｓが給排紙ローラ２６に接触すると、互いに向き合って回転する給排紙ローラ２６，２６によって記録紙Ｓをニップ部２６ｂを介して外部へ導き、記録紙通過口２５を通過させる。
【００６７】
続いて、記録紙Ｓが搬送ローラ５５に達するタイミングで、コントローラ５１は、搬送ローラ５５を回転させ、ロールフィルム６１からフィルム６０を引き出し該引き出したフィルム６０と重ね合わせて記録紙Ｓを搬送させ、加熱ローラ５６により加熱し、加圧ローラ５７によって加圧するラミネート処理を行う。このとき、ヒータ５６ａは、保護材６０ａのガラス転移点Ｔｇよりも高い温度で且つフィルム６０の耐熱温度未満の温度に加熱するように設定してある。フィルム６０及び記録紙Ｓが加熱・加圧されると、フィルム６０の表面に形成された保護材６０ａは、記録紙Ｓの印刷面の表面に融着して記録紙Ｓの保護層Ｐとなる。ラミネート処理された記録紙Ｓは、搬送ローラ５８によりフィルム６０から離間し、ラミネート装置５０の外部に設けられた戴置台５９に搬送される。また、保護材６０ａを失って記録紙Ｓと離間したフィルム６０は、巻取りロール６２に巻き取られる。
【００６８】
ここで、本実施例の構成要素と本発明の構成要素との対応関係を明らかにする。本実施例の給排紙ローラ２６が本発明の遮蔽部及び紙送りローラに相当し、付勢バネ２９が付勢部に相当し、付勢解除部２７が空間形成部に相当し、印刷装置４０では接続ギア３３ａ，３３ｂ及び駆動モータ３５が駆動部に相当し、ラミネート装置５０では接続ギア５３及び駆動モータ５４が駆動部に相当し、記録ヘッド４４が印刷部に相当し、搬送ローラ５５，５８、加熱ローラ５６及び加圧ローラ５７が処理部に相当し、印刷装置４０及びラミネート装置５０が記録媒体処理装置に相当し、ラミネート装置５０が印刷物加工装置に相当する。
【００６９】
以上詳述した第１実施例の記録紙カセット２０によれば、外部から遮断して記録紙Ｓを収容し、記録紙Ｓと同じ空間に収容された供給ローラ３０によって記録紙通過口２５を通過させて印刷装置４０やラミネート装置５０に記録紙Ｓを供給する。この記録紙通過口２５には、記録紙Ｓが通過可能な状態で記録紙通過口２５の隙間を塞ぐ給排紙ローラ２６，２６が形成されている。このように、印刷装置４０やラミネート装置５０に装着された際に開口する部分がないため、外部からの塵埃の侵入を防止することができる。また、給排紙ローラ２６，２６が回転するため、記録紙Ｓが記録紙通過口２５を通過しやすい。
【００７０】
また、給排紙ローラ２６，２６は、柔軟な材質であるスポンジにより形成され記録紙Ｓの通過を許容するように記録紙通過口２５の隙間を塞ぐ方向に力が加えられているため、記録紙通過口２５の隙間を確実に閉塞可能であり、一層外部からの塵埃の侵入を防止することができる。
【００７１】
更に、記録紙収容部２１には、透明な材質により確認窓２１ａが形成されているため、収容されている記録紙Ｓを記録紙収容部２１を開放することなく確認可能であり、間違ったカセットを印刷装置４０やラミネート装置５０に装着してしまうことを防ぐことができる。
【００７２】
更にまた、付勢バネ２９は、給紙部４２に装着されたときには記録紙収容部２１に収容されている記録紙Ｓと供給ローラ３０とを密着させるため、供給ローラ３０によって印刷装置４０やラミネート装置５０に記録紙Ｓを供給しやすい。
【００７３】
そして、印刷装置４０の排紙部４６にも装着可能であり、印刷装置４０から排出される記録紙Ｓをも収容可能であるため、印刷装置４０から排出される記録紙Ｓへの塵埃の付着を防止することができる。このとき、付勢解除部２７は、記録紙収容部２１に収容されている記録紙Ｓと供給ローラ３０との間に空間Ｖを形成させるため、印刷装置４０から排出される記録紙Ｓの記録紙収容部２１への移行を供給ローラ３０が妨げることがない。
【００７４】
また、第１実施例の印刷装置４０によれば、記録紙カセット２０を給紙部４２に装着し、装着された記録紙カセット２０から記録紙Ｓを供給し、供給された記録紙Ｓに記録ヘッド４４によって画像を印刷し、印刷した記録紙Ｓを排紙部４６に装着された記録紙カセット２０に収容する。このように、記録紙カセット２０によって印刷前の記録紙Ｓと印刷後の記録紙Ｓへの塵埃の付着を防止可能であるため、塵埃の付着による印刷物の品質の低下を防ぐことができる。また、インクジェット方式の印刷装置は、インクにより印刷を行った後に上面を印刷面として外部に放置することが多く、外部に放置してインクの乾燥を行うと塵埃の付着が起きやすいため、本発明を適用する意義が高い。
【００７５】
また、第１実施例のラミネート装置５０によれば、印刷装置４０によって印刷された記録紙Ｓを収容した記録紙カセット２０を給紙部５２に装着し、装着された記録紙カセット２０から記録紙Ｓを供給し、供給された記録紙Ｓの印刷面に保護層Ｐを形成させるラミネート処理を施す。このように、記録紙カセット２０によって記録紙Ｓへの塵埃の付着を防止しラミネート処理をすることができるため、記録紙Ｓへの塵埃の付着によるラミネート処理の品質の低下を防ぐことができる。
【００７６】
［第２実施例］
次に、本発明の第２実施例を図面に基づいて説明する。図１０は、記録紙カセット７０の斜視図であり、図１１は、図１０のＣ−Ｃ断面図であり、図１２は、印刷装置８０の給紙部８２に装着されたときの記録紙カセット７０の説明図であり、（ａ）が断面図、（ｂ）が平面図である。以下には第２実施例の記録紙カセット７０，印刷装置８０及びラミネート装置９０について説明するが、第１実施例のそれぞれと同じ構成要素については同じ符号を付し、その説明を省略する。
【００７７】
記録紙カセット７０は、図１０に示すように、記録紙Ｓを外部と遮断して収容する記録紙収容部２１と、記録紙収容部２１の前方の上部に記録紙Ｓを印刷装置８０に供給する供給ローラ８４（図１２参照）を略隙間なく収容する大きさに形成されこの供給ローラ８４を挿入可能な開口部７１と、印刷装置８０の給紙部８２に装着されたときには開口部７１を開放し印刷装置８０の給紙部８２から脱着されたときには開口部７１を閉鎖する開閉蓋７２と、供給ローラ８４により供給された記録紙Ｓが通過可能に開口している記録紙通過口２５と、記録紙Ｓが記録紙通過口２５を通過可能な状態で記録紙通過口２５の隙間を塞ぐ給排紙ローラ２６，２６とを備えている。記録紙収容部２１には、その側面に確認窓２１ａ及び紙送りギア２６ｄが配置されている。また、記録紙収容部２１の上面には、蓋部２３が形成されている。また、給排紙ローラ２６の上下には防塵舌２６ｃが設けられている。記録紙収容部２１の内部には、図１１に示すように、戴置板２８と、付勢バネ２９とが設けられている。
【００７８】
開閉蓋７２は、開口部７１を閉鎖・開放する樹脂製の矩形状に形成された蓋であり、前方上部に突起爪７２ａが２つ形成されている。この突起爪７２ａは、記録紙カセット７０が印刷装置８０の給紙部８２などに装着された際に開閉蓋７２を開放させるときに用いられる。また、開閉蓋７２には、図１１に示すように、引っ張りバネ７２ｂが設けられている。この引っ張りバネ７２ｂは、その一端が開閉蓋７２の側面に形成された架橋部７２ｃにビス止めされ、他端が記録紙カセット７０に配置された架橋部７２ｄにビス止めされている。この結果、開閉蓋７２は、常に開口部７１を閉鎖するように引っ張りバネ７２ｂによって付勢されている。この引っ張りバネ７２ｂは、開閉蓋７２の両側に設けられている（図１２（ｂ）参照）。開口部７１は、印刷装置８０の供給ローラ８４（図１３参照）やラミネート装置９０（図１４参照）の供給ローラ９４を挿入可能な大きさで且つ無駄な隙間ができない大きさＷ（図１２参照）に設計されている。
【００７９】
次に、記録紙カセット７０を装着する印刷装置８０について図１２及び図１３を用いて説明する。図１３は、記録紙カセット７０を装着する印刷装置８０の断面図である。印刷装置８０は、インクジェット方式のフルカラープリンタとして構成され、図１３に示すように、記録紙カセット７０を装着可能である給紙部８２と、給紙部８２を介して供給された記録紙Ｓを搬送する搬送ユニット４３と、搬送ユニット４３によって搬送された記録紙Ｓにインクによって画像を印刷する記録ヘッド４４と、印刷された記録紙Ｓを収容する記録紙カセット７０を装着可能である排紙部８６と、印刷装置８０の印刷動作を制御するコントローラ４１とを備えている。
【００８０】
給紙部８２は、記録紙Ｓを供給する記録紙カセット７０を装着する部分であり、記録紙カセット７０が装着された際に記録紙カセット７０との間に略隙間ができないように形成されている。この給紙部８２の上部には、突起爪７２ａが突き当たることにより開閉蓋７２を開放する開放部８７が形成されており、この開放部８７には、記録紙カセット７０の突起爪７２ａが通過する通過溝８７ａが形成されている。なお、この給紙部８２の下面には、図示しない係止爪が設けられており、この係止爪が記録紙カセット２０の底面に形成された図示しない引っ掛け部に引っ掛かることにより記録紙カセット２０が図１３の状態で固定され、図示しない係止解除部を操作することにより引っ掛け部に係止している係止爪を解除可能になっている。
【００８１】
排紙部８６は、印刷した記録紙Ｓを収容する記録紙カセット７０を装着する部分であり、記録紙カセット７０が装着された際に記録紙カセット７０との間に略隙間がないように形成されている。なお、この排紙部８６の下面には、図示しない係止爪が設けられており、この係止爪が記録紙カセット２０の底面に形成された図示しない引っ掛け部に引っ掛かることにより記録紙カセット２０が図１３の状態で固定され、図示しない係止解除部を操作することにより引っ掛け部に係止している係止爪を解除可能になっている。
【００８２】
また、印刷装置８０は、開口部７１に入り込んで記録紙Ｓに当接して記録紙カセット７０から記録紙Ｓを供給する供給ローラ８４を備えている。この供給ローラ８４は、ローラ支持板８３に支持されている。このローラ支持板８３は、Ｌ字形に形成された金属製の板であり、その略中央に設けられた支持板軸８３ａにより回転可能に印刷装置８０に支持されている。このローラ支持板８３の一端には、ローラ軸８４ａを中心に軸回転可能なように軸受け８３ｂを介して供給ローラ８４が支持されている。一方、ローラ支持板８３の他端には、記録紙カセット７０の装着の際にこの記録紙カセット７０と当接するカセット受け部８３ｃが形成されている。このように、カセット受け部８３ｃが図１３において右側に押されると支持板軸８３ａを中心にローラ支持板８３が反時計回りに回転して供給ローラ８４が下方に移動するようになっている。なお、ローラ支持板８３は、図示しないバネにより図１３において時計回りに回るように付勢されており、記録紙カセット７０が脱着されたときにはこれに伴って供給ローラ８４が上方に移動するようになっている。
【００８３】
また、印刷装置８０には、図１２に示すように、ローラギア８４ｂ，接続ギア８８ａ，８８ｂ、給紙部８２に記録紙カセット７０が装着された際に紙送りギア２６ｄに接続する接続ギア８９ａ，８９ｂが配置されている。この接続ギア８８ｂ，８９ｂは、駆動モータ８５のモータ軸８５ａに固定されており、駆動モータ８５により回転する。また、供給ローラ８４にはローラギア８４ｂが同軸上に固定されており、このローラギア８４ｂは、接続ギア８８ａと接続している。したがって、駆動モータ８５が回転すると、接続ギア８８ｂ，８８ａ及びローラギア８４ｂを介して供給ローラ８４が回転駆動する。また、駆動モータ８５が回転すると、接続ギア８９ｂ，８９ａ及び紙送りギア２６ｄを介して給排紙ローラ２６が回転駆動する。また、駆動モータ８５は、図示しないギアを介して排紙部８６に装着された記録紙カセット２０の紙送りギア２６ｄと接続可能になっている。また、駆動モータ５４には、図示しない他のギアが接続されており、搬送ローラ４３ｂ（図１３参照）なども駆動する。
【００８４】
続いて、記録紙カセット７０を装着するラミネート装置９０について説明する。図１４は、ラミネート装置９０の断面図である。ラミネート装置９０は、記録紙Ｓの上面（印刷面）に対して保護層Ｐを加熱定着させる熱転写型オーバコート方式の装置として構成されている。ラミネート装置９０は、図１４に示すように、フィルムが円筒状に巻かれたロールフィルム６１と、ロールフィルム６１からフィルム６０を引き出し該引き出したフィルム６０と重ね合わせて記録紙Ｓを搬送する搬送ローラ５５と、重ね合わせたフィルム６０と記録紙Ｓとを加熱しながら搬送する加熱ローラ５６と、加熱ローラに従動し重ね合わせたフィルム６０と記録紙Ｓとを加圧する加圧ローラ５７と、フィルム６０と記録紙Ｓとを搬送すると共にこれらを離間させる搬送ローラ５８と、使用後のフィルムを巻き取る巻取りロール６２と、ラミネート装置９０の動作を制御するコントローラ５１とを備えている。
【００８５】
給紙部９２は、記録紙Ｓを供給する記録紙カセット７０を装着する部分であり、記録紙カセット７０が装着された際に記録紙カセット７０との間に略隙間ができないように形成されている。この給紙部９２の上部には、突起爪７２ａが突き当たることにより開閉蓋７２を開放する開放部９７が形成されており、この開放部９７には、記録紙カセット７０の突起爪７２ａが通過する通過溝９７ａが形成されている。
【００８６】
また、ラミネート装置９０は、開口部７１に入り込んで記録紙Ｓに当接して記録紙カセット７０から記録紙Ｓを供給する供給ローラ９４を備えている。供給ローラ９４は、ローラ軸９４ａを中心に軸回転可能なように軸受け９３ｂを介してローラ支持板９３に支持されている。この供給ローラ９４は、印刷装置８０の供給ローラ８４と同じ大きさに形成されている。ローラ支持板９３は、Ｌ字形に形成された金属製の板であり、その略中央に設けられた支持板軸９３ａにより回転可能にラミネート装置９０に支持されている。このローラ支持板９３の一端には、ローラ軸９４ａを中心に軸回転可能なように軸受け９３ｂを介して供給ローラ９４が支持されている。一方、ローラ支持板９３の他端には、記録紙カセット７０の装着の際にこの記録紙カセット７０と当接するカセット受け部９３ｃが形成されている。このように、カセット受け部９３ｃが図１４において右側に押されると支持板軸９３ａを中心にローラ支持板９３が反時計回りに回転して供給ローラ９４が下方に移動するようになっている。なお、ローラ支持板９３は、図示しないバネにより図１４において時計回りに回るように付勢されており、記録紙カセット７０が脱着されたときにはこれに伴って供給ローラ９４が上方に移動するようになっている。
【００８７】
また、ラミネート装置９０は、図１４に示すように、ローラギア９４ｂや接続ギア９８ａ，９８ｂが配置されている。この接続ギア９８ｂは、駆動モータ９５のモータ軸９５ａに固定されており、駆動モータ９５により回転する。また、供給ローラ９４にはローラギア９４ｂが同軸上に固定されており、このローラギア９４ｂは、接続ギア９８ａと接続している。したがって、駆動モータ９５が回転すると、接続ギア９８ｂ，９８ａ及びローラギア９４ｂを介して供給ローラ９４が回転駆動する。また、駆動モータ９５は、図示しないギアを介して給紙部９２に装着された記録紙カセット７０の紙送りギア２６ｄと接続可能になっている。また、駆動モータ９５には、図示しない他のギアが接続されており、搬送ローラ５５，５８や加熱ローラ５６（図１４参照）なども駆動する。
【００８８】
次に、印刷装置８０に記録紙カセット７０を装着する動作について、まず給紙部８２に記録紙カセット７０を装着する動作について図１５を用いて説明する。ユーザは、記録紙Ｓを戴置部２８に戴置させた記録紙カセット７０を用意する。この記録紙カセット７０を記録紙カセット７０の突起爪７２ａが通過溝８７ａを通過するように印刷装置８０の下部に設置された給紙部８２に差し込む。記録紙カセット７０を差し込んでいくと、記録紙カセット７０の前方上部がローラ支持板８３のカセット受け部８３ｃに当接する（図１５（ａ））。そのまま記録紙カセット７０を移動していくと、ローラ支持板８３は、カセット受け部８３ｃが記録紙カセット７０に押されることにより支持板軸８３ａを中心に回転し、供給ローラ８４が下方に弧を描いて移動する。このとき、通過溝８７ａを通過する記録紙カセット７０の突起爪７２ａが開放部８７に突き当たって押されることにより開閉蓋７２が開き始める（図１５（ｂ））。更に記録紙カセット７０を移動していくと、開口部７１が開放されると共に供給ローラ８４が更に下方に移動していく。そして、記録紙カセット７０が給紙部８２に突き当たると、開口部７１が完全に開放され、供給ローラ８４が記録紙カセット７０内部に収容された記録紙Ｓに密着し、装着が完了する（図１５（ｃ））。装着が完了すると、供給ローラ８４によって記録紙Ｓを記録紙収容部２１から印刷装置８０へ供給可能となる。また、接続ギア８９ａ，８９ｂ及び紙送りギア２６ｄを介して駆動モータ８５により給排紙ローラ２６が回転可能になる。
【００８９】
次に、排紙部８６に記録紙カセット７０を装着する動作について説明する。まず、ユーザは戴置部２８に記録紙Ｓを戴置していない記録紙カセット７０を用意し、この記録紙カセット７０を排紙部８６に挿入する。そして、記録紙カセット７０が給紙部８２に突き当たると、装着が完了する。このとき、記録紙カセット７０の紙送りギア２６ｄが図示しない接続ギアに噛合し、この接続ギアを介して排紙部８６に装着された記録紙カセット７０の給排紙ローラ２６が駆動モータ８５により駆動可能になる。
【００９０】
次に、印刷装置８０の印刷時の動作について図８及び図９を用いて説明する。印刷装置８０のコントローラ４１は、印刷データを受信すると、駆動モータ８５を回転駆動させる。駆動モータ８５が回転駆動すると、接続ギア８８ａ，８８ｂ及びローラギア８４ｂを介して供給ローラ８４が回転する。また、同様に駆動モータ８５により給排紙ローラ２６が回転する。すると、供給ローラ８４の回転に伴い記録紙Ｓが記録紙収容部２１から給排紙ローラ２６に向かって移動する（図８（ａ））。そして、記録紙Ｓが給排紙ローラ２６に接触すると、互いに向き合って回転する給排紙ローラ２６，２６によってニップ部２６ｂを介して記録紙Ｓを外部へ導き（図８（ｂ））、記録紙通過口２５を通過させる（図８（ｃ））。
【００９１】
続いて、記録紙Ｓは、搬送ユニット４３により記録ヘッド４４に搬送される。そして、コントローラ４１は、圧力発生部４４ｂへの電圧を制御することにより印刷データに含まれる画像を記録紙Ｓに印刷する。印刷された記録紙Ｓは、搬送ローラ４３ｂにより排紙部８６に装着された記録紙カセット７０へ搬送される。このとき、排紙部８６に装着された記録紙カセット７０の給排紙ローラ２６，２６は、記録紙Ｓが記録紙収容部２１に収容される方向に回転している。そして、記録紙Ｓが給排紙ローラ２６に接触すると（図９（ａ））、互いに向き合って回転する給排紙ローラ２６，２６によって記録紙Ｓをニップ部２６ｂを介して内部へ導き（図９（ｂ））、記録紙通過口２５を通過させる（図９（ｃ））。こうして、印刷された記録紙Ｓは、排紙部８６に装着された記録紙カセット７０の記録紙収容部２１に外部から遮断された状態で収容される。最後に、ユーザは、印刷装置８０で印刷した記録紙Ｓを収容した記録紙カセット７０を印刷装置８０の排紙部８６から脱着させる。このとき、記録紙カセット７０を後にスライドさせると、開閉蓋７２は、突起爪７２ａが開放部８７に当接しながら引っ張りバネ７２ｂの伸縮力により記録紙カセット７０の移動方向と逆に移動する。その結果、記録紙カセット７０が印刷装置８０から取り外される前に開閉蓋７２を閉じて開口部７１を閉鎖する。
【００９２】
次に、ラミネート装置９０のラミネート処理の動作について説明する。まず、ユーザは、印刷装置８０の排紙部８６から取り外した記録紙カセット７０であることを確認窓２１ａで確認し、この記録紙カセット７０をラミネート装置９０の給紙部９２に装着する。このとき、印刷装置８０に記録紙カセット７０を装着する動作と同様の動作で装着される（図１５参照）。次に、ラミネート装置９０のコントローラ５１は、ラミネート処理の指令を受信すると、駆動モータ９５を駆動させる。駆動モータ９５が回転駆動すると、接続ギア９８ａ，９８ｂ及びローラギア９４ｂを介して供給ローラ９４が回転する。また、駆動モータ９５により給排紙ローラ２６が回転する。図９と同様に、供給ローラ９４の回転に伴い記録紙Ｓが記録紙収容部２１から給排紙ローラ２６に向かって供給され、記録紙Ｓが給排紙ローラ２６に接触すると、互いに向き合って回転する給排紙ローラ２６，２６によって記録紙Ｓをニップ部２６ｂを介して外部へ導き、記録紙通過口２５を通過させる。
【００９３】
続いて、記録紙Ｓが搬送ローラ５５に達するタイミングで、コントローラ５１は、搬送ローラ５５を回転させ、ロールフィルム６１からフィルム６０を引き出し該引き出したフィルム６０と重ね合わせて記録紙Ｓを搬送させ、加熱ローラ５６により加熱し、加圧ローラ５７によって加圧するラミネート処理を行う。フィルム６０及び記録紙Ｓが加熱・加圧されると、保護材６０ａは、記録紙Ｓの印刷面の表面に融着し、保護層Ｐとなる（図６の拡大図参照）。ラミネート処理された記録紙Ｓは、搬送ローラ５８によりフィルム６０から離間し、ラミネート装置９０の外部に設けられた戴置台５９に搬送される。また、保護材６０ａを失って記録紙Ｓと離間したフィルム６０は、巻取りロール６２に巻き取られる。
【００９４】
以上詳述した第２実施例の記録紙カセット７０によれば、外部から遮断して記録紙Ｓを収容し、印刷装置８０の給紙部８２やラミネート装置９０の給紙部９２に装着された際に開口部７１が開放されて供給ローラ８４，９４が入り込み、この供給ローラ８４，９４によって記録紙通過口２５を通過させて印刷装置８０やラミネート装置９０に記録紙Ｓを供給する。この記録紙通過口２５には、記録紙Ｓが通過可能な状態で記録紙通過口２５の隙間を塞ぐ給排紙ローラ２６が設けられている。ここで、給排紙ローラ２６を設けた記録紙通過口２５を記録紙Ｓが通過するため、供給ローラ８４，９４を挿入する開口部７１を記録紙Ｓが通過可能になるように大きくする必要がない。このように、開口部７１を小さくすることができるため、その分、外部からの塵埃の侵入を防止することができる。また、給排紙ローラ２６，２６が回転するため、記録紙Ｓが記録紙通過口２５を通過しやすい。
【００９５】
また、給排紙ローラ２６は、柔軟な材質であるスポンジにより形成され記録紙Ｓの通過を許容するように記録紙通過口２５の隙間を塞ぐ方向に力が加えられているため、記録紙通過口２５の隙間を確実に閉塞可能であり一層外部からの塵埃の侵入を防止することができる。
【００９６】
更に、記録紙収容部２１には、透明な材質により確認窓２１ａが形成されているため、収容されている記録紙Ｓを記録紙収容部２１を開放することなく確認可能であり、間違ったカセットを印刷装置８０やラミネート装置９０に装着してしまうことを防ぐことができる。
【００９７】
更にまた、印刷装置８０の給紙部８２やラミネート装置９０の給紙部９２に装着されたときには記録紙収容部２１に収容されている記録紙Ｓと供給ローラ８４や供給ローラ９４とを密着させる付勢バネ２９を備えているため、供給ローラ８４，９４によって記録紙Ｓを供給しやすい。
【００９８】
そして、印刷装置８０の排紙部８６にも装着可能であり、印刷装置８０から排出される記録紙Ｓをも収容可能であるため、印刷装置８０から排出される記録紙Ｓへの塵埃の付着を防止することができる。
【００９９】
また、第２実施例の印刷装置８０によれば、記録紙カセット７０を給紙部４２に装着し、装着された記録紙カセット７０から記録紙Ｓを供給し、供給された記録紙Ｓに記録ヘッド４４によって画像を印刷し、印刷した記録紙Ｓを排紙部８６に装着された記録紙カセット７０に収容する。このように、記録紙カセット７０によって印刷前の記録紙Ｓと印刷後の記録紙Ｓへの塵埃の付着を防止可能であるため、塵埃の付着による印刷物の品質の低下を防ぐことができる。また、インクジェット方式の印刷装置は、インクにより印刷を行った後に上面を印刷面として外部に放置することが多く、外部に放置してインクの乾燥を行うと塵埃の付着が起きやすいため、本発明を適用する意義が高い。
【０１００】
また、第２実施例のラミネート装置９０によれば、印刷装置８０によって印刷された記録紙Ｓを収容した記録紙カセット７０を給紙部９２に装着し、装着された記録紙カセット７０から記録紙Ｓを供給し、供給された記録紙Ｓの印刷面に保護層Ｐを形成させるラミネート処理を施す。このように、記録紙カセット７０によって記録紙Ｓへの塵埃の付着を防止しラミネート処理をすることができるため、記録紙Ｓへの塵埃の付着によるラミネート処理の品質の低下を防ぐことができる。
【０１０１】
なお、本発明は上述した実施例に何ら限定されることはなく、本発明の技術的範囲に属する限り種々の態様で実施し得ることはいうまでもない。
【０１０２】
例えば、上述した第１実施例及び第２実施例では、記録紙通過口２５を遮蔽する部材を給排紙ローラ２６，２６としたが、図１６に示すように、柔軟な材質（例えばスポンジなど）により形成された板状の遮蔽部材２６Ｂ，２６Ｂとしてもよい。このとき、図１６に示した拡大図のように、遮蔽部材２６Ｂ，２６Ｂは、記録紙Ｓの移動方向（図１６では右方向）に変形して記録紙通過口２５の隙間を塞ぎながら記録紙Ｓを通過させる。こうしても、記録紙通過口２５を通過可能な状態で記録紙通過口２５の隙間を塞ぎ、外部からの塵埃の侵入を防止することができる。なお、説明の便宜のため、第１実施例の記録紙カセット２０を示した図を用いて以下説明することもあるが、説明する内容を第２実施例の記録紙カセット７０に適用することもできる。
【０１０３】
また、上述した第１実施例及び第２実施例では、給排紙ローラ２６，２６は、記録紙収容部２１に軸回転可能に固定されているとしたが、図１７に示すように、記録紙Ｓの厚さＺに基づいてニップ部２６ｂからローラ軸２６ａまでの距離Ｘを調節可能に支持してもよい。具体的には、記録紙収容部２１の内部で記録紙Ｓが通過する位置に記録紙Ｓの厚さを検出する接触式のセンサ２６ｅを設置する。また、給排紙ローラ２６のローラ軸２６ａを上下に移動可能に支持する支持部材２６ｆと、支持部材２６ｆをモータにより上下させる調節部２６ｇ（本発明の支持位置調節手段）とを設置する。そして、記録紙Ｓの厚さＺが薄いときには記録紙Ｓが通過するニップ部２６ｂからローラ軸２６ａまでの距離Ｘを短くし（図１４（ｂ））、厚さＺが厚いときには調節部２６ｇにより支持部材２６ｆを図１７のＤ方向に移動させ、ニップ部２６ｂからローラ軸２６ａを離間させて距離Ｘを長くする（図１４（ｃ））。例えば、記録紙Ｓの厚さＺが０．５ｍｍ，１．０ｍｍ，３．０ｍｍであるとセンサ２６ｄが検出したときには、調節部２６ｆは、ローラ軸２６ａ同士の距離Ｘをそれぞれ７．５ｍｍ，８．０ｍｍ，１０ｍｍに調節する。こうすれば、記録紙Ｓの厚さに応じて記録紙Ｓが通過しやすいように調節することができる。
【０１０４】
更に、上述した第１実施例では、付勢バネ２９により記録紙Ｓを供給ローラ３０に常に付勢し印刷装置４０の排紙部４６に装着されたときにのみ付勢解除部２７によりこの付勢を解除するものとしたが、記録紙Ｓを供給ローラ３０に常に付勢せず、印刷装置４０の給紙部４２に装着されたときにのみ記録紙Ｓを供給ローラ３０に付勢するようにしてもよい。なお、上述した第１実施例及び第２実施例では、付勢バネ２９により記録紙Ｓを付勢して供給ローラ３０に密着させるものとしたが、供給ローラ３０にも付勢バネを設けて記録紙Ｓと供給ローラ３０とを密着させてもよいし、供給ローラ３０にのみ付勢バネを設けて記録紙Ｓと供給ローラ３０とを密着させてもよい。
【０１０５】
更にまた、上述した第１実施例及び第２実施例では、記録紙カセットは、印刷装置の給紙部と排紙部とに別々の記録紙カセットを装着するものとしたが、図１８（ａ）に示すように、記録紙カセット２０を２つ備え、一方の記録紙カセットが印刷装置の給紙部に装着可能であり、他方の記録媒体カセットが印刷装置の排紙部に装着可能に一体化されている一体化カセット２０Ｄとしてもよい。こうすれば、印刷装置での処理前の記録紙Ｓと同じ種類の処理後の記録紙Ｓを収容可能なため、種類の異なる記録紙Ｓが収容されているカセットを給紙部と排紙部に装着してしまうことがない。なお、記録紙カセットは、図１８（ｂ）に示すように、２つの記録紙カセット７０を一体化した一体化カセット７０Ｂとしてもよいし、図１８（ｃ）に示すように、記録紙カセット２０と記録紙カセット７０とを一体化した一体化カセット２０Ｅとしてもよい。また、３つ以上の記録紙カセットを一体化してもよい。
【０１０６】
このとき、印刷装置４０は、一体化カセット２０Ｄを装着可能に構成した給紙部４２及び排紙部４６を有する装着部を備えていてもよい。また、ラミネート装置５０は、一体化カセット２０Ｄが装着可能な給紙部５２に構成してもよい。更に、図１９に示すように、印刷部４０Ｆと、ラミネート部５０Ｆと、この一体化カセット２０Ｄを装着可能な装着部１２と、印刷部４０Ｆ及びラミネート部５０Ｆの動作を制御するコントローラ１１を備えた印刷ラミネート装置１０に一体化カセット２０Ｄを用いるとしてもよい。具体的には、一体化カセット２０Ｄを装着部１２に装着する。すると、一体化カセット２０Ｄの下段の供給側の供給ローラが駆動モータ３５Ｆにより駆動可能となり、上段の排紙側の供給ローラが駆動モータ５４Ｆにより駆動可能となる。そして、印刷の指令を受信すると、コントローラ１１は、装着部１２に装着された一体化カセット２０Ｄの供給側の記録紙収容部２１ｂから記録紙ＳをＬ方向に供給させ、印刷部４０Ｆで印刷させたあと、Ｍ方向に記録紙Ｓを搬送して記録紙収容部２１ｃに収容させる。ここで、インクを乾かしたあと、ラミネート処理の指令を受信すると、フラップ１３を切り替えて印刷された記録紙ＳをＮ方向に搬送し、ラミネート部５０Ｆでラミネート処理を行う。こうすれば、一体化カセット２０Ｄを取り外すことなく印刷・乾燥・ラミネート処理ができ、一層塵埃の侵入を防ぐことができるため、加工仕上がり品の品質の低下を防止しやすい。
【０１０７】
そして、上述した第１実施例では、供給ローラ３０のローラ軸３１に駆動ギア２４が固定され、この駆動ギア２４を用いて駆動モータ３５により供給ローラ３０を回転させるとしたが、この駆動モータ３５を記録紙カセット２０の内部に設けてもよい。具体的には、記録紙収容部２１に駆動モータを配置し、この駆動モータにより供給ローラ３０を回転可能に構成し、この駆動モータを駆動する電力を入力するコネクタ（電力入力部）を外部との連通が遮断されるように記録紙カセットの外部に配置する。また、印刷装置は、この記録紙カセットが給紙部に装着されたときにこのコネクタに接続する接続部を設けておく。そして、印刷の指令を受けるとコントローラから電力が供給されて記録紙カセットに内蔵されたモータが同期して駆動することにより記録紙Ｓの供給を行う。また、ラミネート装置も、この記録紙カセットが給紙部に装着されたときにこのコネクタに接続する接続部を設けておく。そして、印刷の指令を受けるとコントローラから電力が供給されて記録紙カセットに内蔵されたモータが同期して駆動することにより記録紙Ｓの供給を行う。これらのようにしても、外部からの塵埃の侵入を防止することができる。
【０１０８】
そしてまた、上述した第２実施例では、記録紙カセット７０の装着に伴って供給ローラ３０を開口部７１にローラ支持板８３により機械的に挿入する機構を採用したが、記録紙カセット７０の装着を検出するセンサと、供給ローラを下方に移動させる移動用モータを設け、記録紙カセット７０の装着がセンサにより検出されたときには、供給ローラ３０を移動用モータによって下方に電気的に移動させて記録紙収容部２１に収容された記録紙Ｓに当接するようにしてもよい。
【０１０９】
なお、上述した第１実施例及び第２実施例では、印刷が終了した記録紙Ｓの印刷面に供給ローラ３０、供給ローラ９４が接触して記録紙Ｓを記録紙収容部２１から供給するとしたが、記録紙Ｓの印刷面を供給ローラ３０、供給ローラ９４が接触しないように供給してもよい。例えば、記録紙Ｓの裏側を上面とするように記録紙収容部２１に収容してもよいし、供給ローラの幅を小さくし記録紙Ｓの両端部に接触するようにして印刷面への接触を防いでもよい。こうすれば、供給ローラによる印刷面の品質の低下を抑制することができる。
【図面の簡単な説明】
【０１１０】
【図１】第１実施例の記録紙カセット２０の斜視図である。
【図２】図１の記録紙カセット２０のＡ−Ａ断面図である。
【図３】記録紙カセット２０の断面を上面から見た説明図である。
【図４】第１実施例の印刷装置４０の断面図である。
【図５】記録紙カセット２０及び記録紙Ｓの供給機構の説明図である。
【図６】第１実施例のラミネート装置５０の断面図である。
【図７】記録紙カセット２０を排紙部４６に装着する説明図である。
【図８】記録紙Ｓを記録紙カセット２０から供給する説明図である。
【図９】記録紙Ｓを記録紙カセット２０へ収容する説明図である。
【図１０】第２実施例の記録紙カセット７０の斜視図である。
【図１１】図１０の記録紙カセット７０のＣ−Ｃ断面図である。
【図１２】給紙部８２に装着された記録紙カセット７０の説明図である。
【図１３】第２実施例の印刷装置８０の断面図である。
【図１４】第２実施例のラミネート装置９０の断面図である。
【図１５】記録紙カセット７０を給紙部８２に装着する説明図である。
【図１６】記録紙カセット２０Ｂの遮蔽部材２６Ｂの説明図である。
【図１７】記録紙カセット２０Ｃの説明図である。
【図１８】一体化カセット２０Ｄ，２０Ｅ及び７０Ｂの説明図である。
【図１９】印刷ラミネート装置１０の説明図である。
【図２０】従来例の記録紙カセット１２０の説明図である。
【符号の説明】
【０１１１】
１０  印刷ラミネート装置、１１  コントローラ、１２  装着部、１３  フラップ、２０，２０Ｂ〜２０Ｃ  記録紙カセット、２０Ｄ，２０Ｅ  一体化カセット、２１，２１ｂ，２１ｃ  記録紙収容部、２１ａ  確認窓、２２  供給ローラ収容部、２３  蓋部、２３ａ  固定軸、２４  駆動ギア、２５  記録紙通過口、２６  給排紙ローラ、２６ａ  ローラ軸、２６ｂ  ニップ部、２６ｃ  防塵舌、２６ｄ  紙送りギア、２６ｅ  センサ、２６ｆ  支持部材、２６ｇ  調節部、２７  付勢解除部、２７ａ  Ｖ字板、２７ｂ  棒状体、２７ｃ  支持軸、２７ｆ  回動溝、２７ｅ  円弧板、２８  戴置板、２９  付勢バネ、３０  供給ローラ、３１  ローラ軸、３２  軸受け、３３ａ，３３ｂ，３４ａ，３４ｂ  接続ギア、３５，３５Ｆ  駆動モータ、３５ａ  モータ軸、４０  印刷装置、４０Ｆ  印刷部、４１  コントローラ、４２  給紙部、４３  搬送ユニット、４３ａ  ガイド部、４３ｂ  搬送ローラ、４４  記録ヘッド、４４ａ  インクカートリッジ、４４ｂ  圧力発生部、４４ｃ  吐出口、４６  排紙部、４７  突出部、５０  ラミネート装置、５０Ｆ  ラミネート部、５１  コントローラ、５２  給紙部、５３  接続ギア、５４，５４Ｆ  駆動モータ、５５  搬送ローラ、５６  加熱ローラ、５６ａ  ヒータ、５７  加圧ローラ、５７ａ  軸、５８  搬送ローラ、５９  戴置台、６０  フィルム、６０ａ  保護材、６１  ロールフィルム、６１ａ  ロール軸、６２  巻取りロール、６２ａ  ロール軸、７０，７０Ｂ  記録紙カセット、７１  開口部、７２  開閉蓋、７２ａ  突起爪、７２ｂ  引っ張りバネ、７２ｃ，７２ｄ  架橋部、８０  印刷装置、８２  給紙部、８３  ローラ支持板、８３ａ  支持板軸、８３ｂ  軸受け、８３ｃ  カセット受け部、８４  供給ローラ、８４ａ  ローラ軸、８４ｂ  ローラギア、８６  排紙部、８７  開放部、８７ａ  通過溝、８８ａ，８８ｂ，８９ａ，８９ｂ  接続ギア、９０  ラミネート装置、９２  給紙部、９３  ローラ支持板、９３ａ  支持板軸、９３ｂ  軸受け、９３ｃ  カセット受け部、９４  供給ローラ、９４ａ  ローラ軸、９４ｂ  ローラギア、９５  駆動モータ、９５ａ  モータ軸、９７  開放部、９７ａ  通過溝、９８ａ，９８ｂ  接続ギア、１２０  記録媒体カセット、１２３  蓋体、１３０  供給ローラ、１７１  開口部、Ｓ  記録紙、Ｐ  保護層、Ｖ  空間。
【図１】
2006151561.tif 000003
【図２】
2006151561.tif 000004
【図３】
2006151561.tif 000005
【図４】
2006151561.tif 000006
【図５】
2006151561.tif 000007
【図６】
2006151561.tif 000008
【図７】
2006151561.tif 000009
【図８】
2006151561.tif 000010
【図９】
2006151561.tif 000011
【図１０】
2006151561.tif 000012
【図１１】
2006151561.tif 000013
【図１２】
2006151561.tif 000014
【図１３】
2006151561.tif 000015
【図１４】
2006151561.tif 000016
【図１５】
2006151561.tif 000017
【図１６】
2006151561.tif 000018
【図１７】
2006151561.tif 000019
【図１８】
2006151561.tif 000020
【図１９】
2006151561.tif 000021
【図２０】
2006151561.tif 000022